(57)【特許請求の範囲】
【請求項１】
ディスク状の第１のメディアとディスクがカートリッジケース内に収納された第２のメディアとが共通の光ピックアップによって記録および／または再生される記録媒体駆動装置において、
前記第１のメディアを回転駆動する第１のターンテーブルと前記第２のメディアのディスクを回転駆動する第２のターンテーブルおよび前記光ピックアップを移送する移送機構が搭載されたメインシャーシと、前記第２のメディアのカートリッジケースを収容するホルダと、このホルダを回転するホルダ駆動機構とを具備し、
該記録媒体駆動装置の前面を覆う前面板に、前記第１のメディアおよび前記第２のメディアが挿入される挿入口を設けるとともに、前記第２のメディアのカートリッジケースが前記挿入口から前記ホルダに挿入されたことを検知する検知手段を備え、
前記ホルダ駆動機構は、前記第２のメディアのカートリッジケースが前記ホルダに挿入されたことが前記検知手段により検知され、且つ、この第２のメディアのカートリッジケースが前記ホルダ内に搬送された後に、該ホルダを回転することを特徴とする記録媒体駆動装置。
【請求項２】
請求項１の記載において、前記ホルダが前記第２のターンテーブルの回転軸を中心として回転することを特徴とする記録媒体駆動装置。
【請求項３】
請求項１または２の記載において、前記メインシャーシに対して接近・離間可能なサブシャーシを備え、このサブシャーシに前記ホルダを回転可能に支持したことを特徴とする記録媒体駆動装置。
【請求項４】
請求項１の記載において、前記メインシャーシにスピンドルモータが取り付けられていると共に、前記第１のターンテーブルと前記第２のターンテーブルとを切り換えることによって、共通の前記スピンドルモータにより前記第１のターンテーブルと前記第２のターンテーブルとを回転駆動させるテーブル切換機構を備えたことを特徴とする記録媒体駆動装置。
【発明の詳細な説明】
【０００１】
【発明の属する技術分野】
本発明は、ＣＤ（コンパクトディスク）とＭＤ（ミニディスク）に代表される２種類のメディアを共通の光ピックアップによって記録および／または再生することのできる記録媒体駆動装置に関する。
【０００２】
【従来の技術】
近年、車載用電子機器の種類は多様化する傾向にあり、例えばＣＤ（コンパクトディスク）プレーヤとＭＤ（ミニディスク）プレーヤの他にナビゲーションシステムや液晶ディスプレイ等の多くの電子機器を設置する要望がある。この場合において、一般的に行われているようにＣＤプレーヤとＭＤプレーヤのメカニズム同士を積層状態で設置すると、有効スペースのかなりの部分がこれら２種類のプレーヤによって占められてしまい、他の電子機器を設置するスペースが大きく制約を受けるという問題がある。
【０００３】
そこで、従来より、ＣＤプレーヤとＭＤプレーヤのメカニズム同士を一体化し、共通の光ピックアップを用いてＣＤとＭＤの両メディアから情報を再生できるようにした記録媒体駆動装置が提案されている。このものは、機器本体の前面にＣＤ用挿入口とＭＤ用挿入口が開設されており、ＭＤ用挿入口の奥側にＭＤのカートリッジケースを収容可能なホルダが配設されている。また、機器本体の内部に回転軸を中心に回転可能なドライブシャーシが配設されており、このドライブシャーシ上には光ピックアップとその移送機構が搭載されると共に、ＣＤ用ターンテーブルとＭＤ用ターンテーブルとが所定間隔をおいて支持されており、各ターンテーブルは専用のモータによって回転駆動されるようになっている。
【０００４】
上記のように概略構成された記録媒体駆動装置にあっては、ＣＤをＣＤ用挿入口から挿入すると、ドライブシャーシが所定角度回転してＣＤ用ターンテーブルをＣＤのセンタ位置まで移動し、このＣＤ用ターンテーブルによって回転駆動されるＣＤの半径方向で且つ機器本体の側面に対し斜め約４５度方向へ光ピックアップを移送することにより、ＣＤに記録された情報が再生される。一方、ＭＤをＭＤ用挿入口から挿入すると、ＭＤはホルダの所定位置に搬送されると共に、その搬送途中でシャッタを開放してカートリッジケースの窓孔から光磁気ディスクが露出し、また、ドライブシャーシが所定角度回転してＭＤ用ターンテーブルをＭＤの光磁気ディスクのセンタ位置まで移動する。そして、このＭＤ用ターンテーブルによって回転駆動される光磁気ディスクに対し光ピックアップを窓孔の長手方向（機器本体の前面と平行な方向）へ移送することにより、ＭＤの光磁気ディスクに記録された情報が再生される。
【０００５】
このような記録媒体駆動装置によれば、ドライブシャーシに搭載された共通の光ピックアップを用いてＣＤとＭＤの両メディアから情報を再生することができるため、ＣＤプレーヤとＭＤプレーヤを別々のメカニズムで構成してそれらを積層させた場合に比べると、装置全体の厚み（高さ）寸法を大幅に小さくすることができ、その分、他の電子機器を設置するスペースに余裕をもたせることができるという利点を有する。
【０００６】
【発明が解決しようとする課題】
ところで、ＣＤの大きさには直径８ｃｍと直径１２ｃｍの２種類があり、大きい方の直径１２ｃｍＣＤを再生する場合、ＣＤの外周縁と機器本体の内側面との間に光ピックアップの移動スペースを充分に確保することが困難となるため、光ピックアップを機器本体のコーナ部に向けて斜め方向へ移送する必要がある。一方、ＭＤは角形のカートリッジケース内に光磁気ディスクを収納したもので、直径１２ｃｍＣＤに比べると小形であるが、ＭＤの挿入方向はシャッタの開閉方向から自ずと決定され、また、カートリッジケースの底面に開設された長方形の窓孔（シャッタにより開閉される窓孔）から光磁気ディスクの一部のみを露出させるようになっているため、ＭＤを再生する場合は光ピックアップを窓孔に沿って移送する必要がある。
【０００７】
このような理由から前述した従来技術では、回転可能なドライブシャーシに光ピックアップを搭載し、このドライブシャーシの回転角度を制御することにより、ＣＤの場合は光ピックアップを機器本体の側面に対して斜め約４５度方向へ移送させ、ＭＤの場合は光ピックアップを窓孔に沿って機器本体の前面と平行な方向へ移送させている。しかしながら、ドライブシャーシを回転駆動して光ピックアップの移送方向を決定するようになっているため、ドライブシャーシの駆動機構に高精度のものが要求され、このことがメカニズムを複雑化したりコストアップを招来する要因になっていた。また、ドライブシャーシ上においてＭＤ用ターンテーブルは、直径１２ｃｍＣＤの再生時にこのＣＤに当接しないようにＣＤ用ターンテーブルから大きく離れた位置に設けられる。よってドライブシャーシ全体の大きさも大きくなり、このドライブシャーシを回転させるための移動空間を設けた場合、装置全体が大型化するという問題があった。
【０００８】
【課題を解決するための手段】
本発明は、第１および第２の両メディアに対する光ピックアップの移送方向を同じにし、第２のメディアの挿入時のみ、ホルダ駆動機構は、第２のメディアのカートリッジケースがホルダ内に搬送された後に、ホルダを回転させることにより、第２のメディアを光ピックアップの移送方向へ合わせるようにした。このように構成すると、光ピックアップの移送方向を両メディアに応じて変える複雑な機構および制御が不要となり、ホルダを回転するという簡単な機構で両メディアを共通の光ピックアップによって記録および／または再生することができる。
【０００９】
【発明の実施の形態】
本発明の記録媒体駆動装置では、ディスク状の第１のメディアとディスクがカートリッジケース内に収納された第２のメディアとが共通の光ピックアップによって記録および／または再生される記録媒体駆動装置において、前記第１のメディアを回転駆動する第１のターンテーブルと前記第２のメディアのディスクを回転駆動する第２のターンテーブルおよび前記光ピックアップを移送する移送機構が搭載されたメインシャーシと、前記第２のメディアのカートリッジケースを収容するホルダと、このホルダを回転するホルダ駆動機構とを具備し、該記録媒体駆動装置の前面を覆う前面板に、前記第１のメディアおよび前記第２のメディアが挿入される挿入口を設けるとともに、前記第２のメディアのカートリッジケースが前記挿入口から前記ホルダに挿入されたことを検知する検知手段を備え、前記ホルダ駆動機構は、前記第２のメディアのカートリッジケースが前記ホルダに挿入されたことが前記検知手段により検知され、且つ、この第２のメディアのカートリッジケースが前記ホルダ内に搬送された後に、該ホルダを回転することを特徴とする。
【００１０】
前記第１のメディアは例えばＣＤ（コンパクトディスク）のようなディスク状記録媒体であり、また、第２のメディアは例えばＭＤ（ミニディスク）のようにカートリッジケース内にディスクが収納されて構成された記録媒体である。
【００１１】
上記構成によれば、光ピックアップをメインシャーシ上に例えば機器本体の枠体の側面に対して斜め４５度方向へ移送するように搭載し、第２のメディアの挿入時のみ、この第２のメディアのカートリッジケースをその窓孔の長手方向が光ピックアップの移送方向と一致するようにホルダを斜め４５度方向へ回転させれば、第１および第２の両メディアに対して光ピックアップが同一方向へ移送することにより記録および／または再生することができる。したがって、光ピックアップの移送方向を両メディアに応じて変える複雑な機構および制御が不要となり、ホルダを回転するという簡単な機構で高精度な記録および／または再生が可能となり、メカニズムの簡略化とコストダウンを図ることができる。また、第１と第２のターンテーブルおよび光ピックアップ移送機構を有するドライブシャーシ等の大きな機構を回転させる必要がないため、装置全体の小型化が可能となる。
【００１２】
前記ホルダを回転するタイミングは、第２のメディアの挿入後にホルダを前記第２のターンテーブルの回転軸を中心として回転させるようにすると、第２のメディアを機器本体の枠体の前面に設けられる挿入口に対して真っ直ぐに挿入することができ、ユーザにとって使い勝手が良好になる。
【００１３】
また、第１のメディアと第２のメディアを別々の挿入口から挿入するようにしても良いが、両メディアを共通の挿入口から挿入する場合、メインシャーシに対して接近・離間可能なサブシャーシを設け、このサブシャーシにホルダを回転可能に支持することが好ましい。
【００１４】
【実施例】
本発明の実施例について図面を参照して説明すると、図１は記録媒体駆動装置の正面図、図２はメインシャーシ上に搭載された光ピックアップ移送機構とテーブル切換機構を示す平面図、図３は該テーブル切換機構の側面図、図４はＣＤのプレイ状態を示す平面図、図５はＣＤのローディング状態を示す正面図、図６はＣＤのプレイ状態を正面図、図７はＭＤのローディング状態を示す平面図、図８はＭＤのローディング状態を示す正面図、図９はＭＤのプレイ状態を示す平面図、図１０はＭＤのプレイ状態を示す説明図である。
【００１５】
本実施例に係る記録媒体駆動装置は、車内の所定位置（例えばインストルメントパネル）に設置される枠体１と、この枠体１の内部に配置されたメインシャーシ２と、このメインシャーシ２の上方に配置されたサブシャーシ３とを備えており、図１に示すように、枠体１の前面を被覆する前面板４には挿入口５が開設されている。この挿入口５は横長形状のＣＤ用挿入部５ａとその上辺から突出するＭＤ用挿入部５ｂとからなり、ＣＤ用挿入部５ａの中央部とＭＤ用挿入部５ｂの下部とはオーバーラップして全体的に凸形状に開口している。ＣＤ用挿入部５ａからは第１のメディアであるＣＤ（コンパクトディスク）６が挿入・排出され、ＭＤ用挿入部５ｂからは第２のメディアであるＭＤ（ミニディスク）７が挿入・排出されるようになっている。なお、周知のように、ＣＤ６は直径１２ｃｍと直径８ｃｍの光ディスク単体であり、大きい方の１２ｃｍＣＤはそのままの状態で取り扱われるが、小さい方の８ｃｍＣＤを取り扱う場合は、１２ｃｍＣＤと同径のアダプター（図示せず）が使用される。また、ＭＤ７は光磁気ディスク７ａを合成樹脂製のカートリッジケース７ｂ内に収納したもので、カートリッジケース７ｂには光磁気ディスク７ａの一部を窓孔７ｃに対して露出または閉塞するシャッタ７ｄが設けられている（図７参照）。
【００１６】
図２に示すように、メインシャーシ２の四隅はオイルダンパ等の弾性部材８を介して枠体１に弾性的に支持されているが、図示せぬロック機構により選択的にロックされ、このロック状態でメインシャーシ２は枠体１に対して固定的に支持されるようになっている。メインシャーシ２上にスレッドモータ９が取り付けられており、このスレッドモータ９を駆動源としてスクリューシャフト１０が回転し、このスクリューシャフト１０の回転により光ピックアップ１１が互いに平行なメインシャフト１２とサブシャフト１３に沿って往復移動する。これらメインシャフト１２とサブシャフト１３は枠体１の側面に対して斜め約４５度方向に延びており、光ピックアップ１１はメインシャーシ２の右隅斜め約４５度方向に往復移動する。また、メインシャーシ２上にスピンドルモータ１４が取り付けられており、図３に示すように、このスピンドルモータ１４の回転軸と駆動軸１５の下端とはメインシャーシ２の下面側でベルト１６によって連結され、駆動軸１５はスピンドルモータ１４を駆動源として回転する。この駆動軸１５は上端にマグネット製の結合部１７ａを有する軸受１７に支承されており、後述するように、駆動軸１５はテーブル切換機構によってＣＤ用ターンテーブル１８とＭＤ用ターンテーブル１９と選択的に結合されるようになっている。
【００１７】
すなわち、ＣＤ用ターンテーブル１８はＣＤ切換アーム２０の先端に回転自在に支持されており、このＣＤ切換アーム２０には図示せぬカム機構によって上下方向と斜め前後方向へ駆動されるＣＤ切換レバー２１が連結されている。同様に、ＭＤ用ターンテーブル１９はＭＤ切換アーム２２の先端に回転自在に支持されており、このＭＤ切換アーム２２には図示せぬカム機構によって上下方向と斜め前後方向へ駆動されるＭＤ切換レバー２３が連結されている。いま、図２に示す状態からＣＤ切換レバー２１が上昇するとＣＤ切換アーム２０とＣＤ用ターンテーブル１８も一体的に上昇し、この状態でＣＤ切換レバー２１が矢印ａ方向へ移動すると、ＣＤ切換アーム２０が反時計方向へ回転してＣＤ用ターンテーブル１８は駆動軸１５の真上で停止し、しかる後、ＣＤ切換レバー２１の下降によりＣＤ用ターンテーブル１８が結合部１７ａに吸着され、駆動軸１５にＣＤ用ターンテーブル１８が結合される（図３参照）。また、ＭＤ切換レバー２３が上昇するとＭＤ切換アーム２２とＭＤ用ターンテーブル１９も一体的に上昇し、この状態でＭＤ切換レバー２３が矢印ｂ方向へ移動すると、ＭＤ切換アーム２２が時計方向へ回転してＭＤ用ターンテーブル１９は駆動軸１５の真上で停止し、しかる後、ＭＤ切換レバー２３の下降によりＭＤ用ターンテーブル１９が結合部１７ａに吸着され、駆動軸１５にＭＤ用ターンテーブル１９が結合される。なお、ＣＤ用ターンテーブル１８はＣＤ６のセンタ孔に係合する弾性部材を有するセルフチャッキングタイプのテーブルであり、ＭＤ用ターンテーブル１９はＭＤ７の光磁気ディスク７ａの中心に設けられた金属ハブを磁気的に吸着するマグネットタイプのテーブルである。
【００１８】
図５と図６に示すように、サブシャーシ３はメインシャーシ２の上方に配設されており、このサブシャーシ３は図示せぬカム板の駆動によりメインシャーシ２に対して接近・離間するように昇降可能となっている。サブシャーシ３の後端側に一対の位置決めピン２４が垂設されており、これら位置決めピン２４はＣＤ６の搬送経路上に達している。前面板４の後方に駆動ローラ２５が配置されており、この駆動ローラ２５は図示せぬモータを駆動源として回転可能である。駆動ローラ２５の上方に図示せぬ従動ローラが対向配置されており、ＣＤ６はこれら駆動ローラ２５と従動ローラに挟持された状態で枠体１の内部へ搬送され、ＣＤ６の挿入方向先端側の周縁が位置決めピン２４に当接した時点で、駆動ローラ２５の回転によるＣＤ６の搬送は停止する。
【００１９】
図７〜図１０に示すように、サブシャーシ３の下面に支持板２６が固定されており、この支持板２６にホルダ２７が支軸２８を中心として回転可能に支持されている。支軸２８は前記駆動軸１５と同軸上に設けられている。ホルダ２７の後端から突出する突部２７ａとサブシャーシ３との間にスプリング２９が張架されており、ホルダ２７はこのスプリング２９によって時計回り方向の回動偏倚力が付与されている。ホルダ２７の上面に一対のカム溝３０ａ，３０ｂを有するカムギヤ３０が回転可能に軸支されており、このカムギヤ３０の周縁に小径歯部３０ｃと大径歯部３０ｄが連続的に形成されている。カムギヤ３０の小径歯部３０ｃは中継ギヤ３１と常時噛合しており、ホルダ２７に取り付けられた駆動モータ３２の回転力がウォームギヤ３３と他の中継ギヤ３４および中継ギヤ３１を介してカムギヤ３０に伝達される。また、ホルダ２７に回転レバー３５が回転可能に軸支されており、この回転レバー３５の一端に長孔３５ａが形成されている。この長孔３５ａはサブシャーシ３に設けられた固定ピン３６と係合しており、回転レバー３５は固定ピン３６を支点として回転可能である。回転レバー３５の他端にギヤ部３５ｂが形成されており、このギヤ部３５ｂはカムギヤ３０の周縁に対向し大径歯部３０ｄとのみ噛合可能である。なお、これらカムギヤ３０と駆動モータ３２および回転レバー３５等によってホルダ駆動機構が構成されている。
【００２０】
ホルダ２７の上面に前後方向へ延びるガイド孔２７ｂが形成されており、このガイド孔２７ｂにブラケット３７に植設されたガイドピン３７ａが係合している。ガイドピン３７ａはカムレバー３８の一端に形成された長孔３８ａと係合しており、カムレバー３８の他端側に形成された一対のボス３８ｂ，３８ｃはカムギヤ３０のカム溝３０ａ，３０ｂとそれぞれ係合している。したがって、駆動モータ３２を駆動源としてカムギヤ３０が回転すると、カムレバー３８は両ボス３８ｂ，３８ｃが対応するカム溝３０ａ，３０ｂ内をトレースすることにより回転し、それに伴ってブラケット３７がガイド孔２７ｂに沿ってホルダ２７内を移動する。また、ブラケット３７にはＭＤ７の挿入によってオン動作される検知スイッチ３９が搭載されており、この検知スイッチ３９からのオン信号に基づいて駆動モータ３２は回転する。さらに、ブラケット３７の前端両側部には一対の掛止爪４０が設けられており、ＭＤ７はこれら掛止爪４０によってホルダ２７の所定位置に搬送される。すなわち、図７に示すように、ＭＤ７のカートリッジケース７ｂの両側端部には掛止爪４０と係脱可能な係止溝７ｅが形成されており、これら係止溝７ｅが掛止爪４０に係合した状態でブラケット３７がガイド孔２７ｂに沿って移動することにより、ＭＤ７はホルダ２７の所定位置に搬送され、その搬送途中でシャッタ７ｄが開放されてカートリッジケース７ｂの窓孔７ｃから光磁気ディスク７ａの一部を露出するようになっている。
【００２１】
上記の如く構成された記録媒体駆動装置において、まず、ＣＤ６のプレイ動作について図４〜図６を用いて説明する。この場合、ＣＤ６を挿入口５のＣＤ用挿入部５ａから挿入すると、図示せぬフォトセンサ等の検知手段によりＣＤ６の挿入が検知され、この検知信号に基づいてＣＤ用ターンテーブル１８が駆動軸１５に結合されると共に、図５に示すように、サブシャーシ３が上昇してその下方にＣＤ用挿入部５ａに対向するＣＤ６の搬送経路が確保される。しかる後、駆動ローラ２５が回転してＣＤ６はこれら駆動ローラ２５と図示せぬ従動ローラに挟持された状態で枠体１の内部へ搬送され、図４に示すように、ＣＤ６のセンタ孔がＣＤ用ターンテーブル１８の真上まで搬送された時点で、ＣＤ６の挿入方向先端側の周縁が位置決めピン２４に当接して駆動ローラ２５の回転は停止する。しかる後、サブシャーシ３が下降すると、図６に示すように、ＣＤ６のセンタ孔がＣＤ用ターンテーブル１８にセルフチャッキングされ、メインシャーシ２やサブシャーシ３等を含むメカニズム全体は枠体１に弾性的に支持されたロック解除状態となる。そして、スピンドルモータ１４によってＣＤ用ターンテーブル１８を回転し、スレッドモータ９の回転駆動力によってメインシャーシ２上の光ピックアップ１１を移送すると、光ピックアップ１１はメインシャフト１２とサブシャフト１３にガイドされて図４に示すように枠体1の右奥方斜め約４５度の線上を移動し、ＣＤ６に記録された情報が読み出される。なお、ＣＤ６の排出動作は、サブシャーシ3を上昇させ、その後に駆動ローラ２５を前記と逆方向へ回転することにより行われる。
【００２２】
次に、ＭＤ７のプレイ動作について図７〜図１０を用いて説明すると、この場合、ＭＤ７を挿入口５のＭＤ用挿入部５ｂから挿入すると、前述した検知手段によりＭＤ７の挿入が検知され、その検知信号に基づいてＭＤ用ターンテーブル１９が駆動軸１５に結合されると共に、図８に示すように、サブシャーシ３が上昇してホルダ２７の前面開口端がＭＤ用挿入部５ｂに対向する。この状態でユーザがＭＤ７を奥へ押し込むと、カートリッジケース７ｂの両側端部に形成された係止溝７ｅが掛止爪４０に掛止されると共に、検知スイッチ３９がＭＤ７の挿入方向先端面に押圧されてオンとなり、このオン信号に基づいて駆動モータ３２が回転を開始する。駆動モータ３２が回転を開始すると、その回転力がウォームギヤ３３と中継ギヤ３４，３１を介してカムギヤ３０に伝達され、カムギヤ３０が図７の反時計回り方向へ回転する。これにより、カムレバー３８の両ボス３８ｂ，３８ｃがカムギヤ３０のカム溝３０ａ，３０ｂ内をトレースし、カムレバー３８が回転してブラケット３７をガイド孔２７ｂに沿って後退させ、ＭＤ７は掛止爪４０に掛止されたままホルダ２７内へ搬送される。そして、その搬送途中でＭＤ７のシャッタ７ｄが開放されてカートリッジケース７ｂの窓孔７ｃから光磁気ディスク７ａの一部を露出し、この光磁気ディスク７ａの中心の金属ハブがＭＤ用ターンテーブル１９の真上まで搬送された時点でＭＤ７は停止する。
【００２３】
このようにＭＤ７が搬送されて停止するまでの間、カムギヤ３０はその小径歯部３０ｃがギヤ部３５ｂと対向した状態で反時計回り方向へ回転するため、回転レバー３５は回転しないが、前述したようにＭＤ７の停止後は、カムギヤ３０の大径歯部３０ｄがギヤ部３５ｂに噛合するため、回転レバー３５は固定ピン３６を支点として回転を開始する。この回転レバー３５の回転に伴ってホルダ２７が支軸２８を中心として反時計回り方向へ回転し、図９に示すように、ホルダ２７が約４５度回転した時点で、駆動モータ３２は停止する。しかる後、サブシャーシ３が下降し、それに伴ってＭＤ７を収容しているホルダ２７が下降すると、図１０に示すように、ＭＤ７の光磁気ディスク７ａの金属ハブがＭＤ用ターンテーブル１９に磁気的に吸着され、メインシャーシ２やサブシャーシ３等を含むメカニズム全体は枠体１に弾性的に支持されたロック解除状態となる。そして、スピンドルモータ１４によってＭＤ用ターンテーブル１９を回転し、スレッドモータ９の回転駆動力によってメインシャーシ２上の光ピックアップ１１を移送すると、光ピックアップ１１はメインシャフト１２とサブシャフト１３にガイドされてＣＤの場合と同様に枠体１の右奥方斜め約４５度の線上を移動し、ＭＤ７の光磁気ディスク７ａに記録された情報が読み出される。この場合、ＭＤ７は挿入方向に対して約４５度回転した状態にあるため、光磁気ディスク７ａが露出する窓孔７ｃの長手方向と光ピックアップ１１の移送方向とは一致し、光ピックアップ１１を光磁気ディスク７ａの半径方向へ移送することができる。なお、ＭＤ７の排出動作は駆動モータ３２を前記と逆方向へ回転することにより行われ、その際、回転レバー３５のギヤ部３５ｂとカムギヤ３０の大径歯部３０ｄとの噛合が解除されると、ホルダ２７はスプリング２９のばね力によって図７に示す初期位置へ復帰する。
【００２４】
上記実施例にあっては、メインシャーシ２上を枠体１の側面に対して斜め約４５度方向へ移送する光ピックアップ１１に対し、ＭＤ７の挿入時のみホルダ２７を約４５度回転させることにより、ＭＤ７の光磁気ディスク７ａが露出する窓孔７ｃの長手方向（光磁気ディスク７ａの半径方向）と光ピックアップ１１の移送方向とを一致させているため、移送方向が同じ光ピックアップ１１によってＣＤ６とＭＤ７の再生動作を行なうことができ、光ピックアップ１１の移送方向をＣＤ６とＭＤ７で変えるという複雑な機構および制御が不要となり、その分、メカニズムを簡略化してコストダウンを図ることができる。また、ホルダ２７がＭＤ用ターンテーブル１９の回転軸を中心として回転するため、ＭＤ７をＭＤ用挿入部５ｂから真っ直ぐに挿入してプレイ位置まで搬送することができ、ユーザにとって使い勝手が良好になる。
【００２５】
【発明の効果】
本発明は、以上説明したような形態で実施され、以下に記載されるような効果を奏する。
【００２６】
ディスク状の第１のメディアとディスクがカートリッジケース内に収納された第２のメディアとを共通の光ピックアップによって記録および／または再生される記録媒体駆動装置において、第１および第２の両メディアに対する光ピックアップの移送方向を同じにし、第２のメディアの挿入時のみ、ホルダ駆動機構は、第２のメディアのカートリッジケースがホルダ内に搬送された後に、ホルダを回転するように構成すると、光ピックアップの移送方向を両メディアに応じて変える複雑な機構および制御が不要となり、ホルダを回転するという簡単な機構で済むため、メカニズムを簡略化してコストダウンを図ることができる。
【図面の簡単な説明】
【図１】実施例に係る記録媒体駆動装置の正面図である。
【図２】メインシャーシ上に搭載された光ピックアップ移送機構とテーブル切換機構を示す平面図である。
【図３】該テーブル切換機構の側面図である。
【図４】ＣＤのプレイ状態を示す平面図である。
【図５】ＣＤのローディング状態を示す正面図である。
【図６】ＣＤのプレイ状態を正面図である。
【図７】ＭＤのローディング状態を示す平面図である。
【図８】ＭＤのローディング状態を示す正面図である。
【図９】ＭＤのプレイ状態を示す平面図である。
【図１０】ＭＤのプレイ状態を示す説明図である。
【符号の説明】
１  枠体
２  メインシャーシ
３  サブシャーシ
４  前面板
５  挿入口
５ａ  ＣＤ用挿入部
５ｂ  ＭＤ用挿入部
６  ＣＤ（第１のメディア）
７  ＭＤ（第２のメディア）
７ａ  光磁気ディスク
７ｂ  カートリッジケース
７ｃ  窓孔
７ｄ  シャッタ
１１  光ピックアップ
１８  ＣＤ用ターンテーブル
１９  ＭＤ用ターンテーブル
２５  駆動ローラ
２７  ホルダ
２７ｂ  ガイド孔
２８  支軸
２９  スプリング
３０  カムギヤ
３０ｃ  小径歯部
３０ｄ  大径歯部
３２  駆動モータ
３５  回転レバー
３６  固定ピン
３７  ブラケット
３８  カムレバー
３９  検知スイッチ
【図１】
0003986183.tif 000002
【図２】
0003986183.tif 000003
【図３】
0003986183.tif 000004
【図４】
0003986183.tif 000005
【図５】
0003986183.tif 000006
【図６】
0003986183.tif 000007
【図７】
0003986183.tif 000008
【図８】
0003986183.tif 000009
【図９】
0003986183.tif 000010
【図１０】
0003986183.tif 000011